(57)【要約】【課題】構造が簡単で、かつ点滴筒の点滴口から薬滴が落下する際に、薬液中への空気の取り込みを防止した点滴筒を提供。【解決手段】点滴筒本体、該点滴筒本体上部に点滴口および該点滴筒本体下部に貯留液体の流出口を少なくとも有して構成される点滴筒において、前記点滴筒の点滴口から落下される薬滴が、貯留液体の液面に到達する前に衝突される傾斜部材が前記点滴筒本体内に設けられていることを特徴とする点滴筒。【選択図】        図１
2004350912.tif 000002
【特許請求の範囲】
【請求項１】
点滴筒本体、該点滴筒本体上部に点滴口および該点滴筒本体下部に貯留液体の流出口を少なくとも有して構成される点滴筒において、前記点滴筒の点滴口から落下される薬滴の全量が、貯留液体の液面に到達する前に衝突される傾斜部材が前記点滴筒本体内に設けられていることを特徴とする点滴筒。
【請求項２】
傾斜部材の薬滴が落下し衝突する部分（以下、単に衝突部分ともいう）が貯留液体の液面より上方に存在するように、点滴口と傾斜部材が設けられていることを特徴とする請求項１に記載の点滴筒。
【請求項３】
前記傾斜部材が、点滴筒本体の壁部が傾斜して形成されたものであることを特徴とする請求項１に記載の点滴筒。
【請求項４】
前記傾斜部材が、点滴筒本体に結合して設けられたものであることを特徴とする請求項１または２に記載の点滴筒。
【請求項５】
前記傾斜部材が、点滴筒本体のキャップ部に結合して設けられたものであることを特徴とする請求項１に記載の点滴筒。
【請求項６】
前記傾斜部材が、３０〜６０度の傾斜角度を有して設けられたものであることを特徴とする請求項１〜５のいずれかに記載の点滴筒。
【請求項７】
前記傾斜部材が、薬滴の衝突に対して反発性の低いものであることを特徴とする請求項１〜６のいずれかに記載の点滴筒。
【発明の詳細な説明】
【０００１】
【発明の属する技術分野】
本発明は輸液・輸血セットなどの導管の途中に設けられている点滴筒に関する。点滴筒は生体へのエアー流入防止の役割の他、流量を調整するクランプによって流量を調整する場合に、流量がどの程度変化したかを、目視によって確認する機能を有するものである。
【０００２】
【従来技術】
【特許文献１】
特開昭６３−１２２４６４
【特許文献２】
特開昭６３−２２６３６６
【０００３】
輸液・輸血セットなどの導管の途中に設けられている点滴筒は、生体へのエアー流入防止の役割を有するものである。このような点滴筒として、薬滴の落下時において薬滴が液面に当たりはじけることによりエアーを巻き込むのを防止するために、例えば点滴筒本体中央部に、点滴口に近接して、落下直後の薬滴の落下を受けてなめらかに流下させるための受け手段が設けられてなることを特徴とする点滴筒が提案されている（特許文献１）。また、薬液中への空気の取り込みを防止するために、点滴筒の内部に、薬液中に浮かんで点滴口からの落下薬液を軟らかく受けるための、薬滴受け用のフロートを収容したことを特徴とする点滴筒が提案されている（特許文献２）。
しかしながら、特許文献１では受け棒に設けられたスリットと連通した薬液流出路から薬液が流出するため、薬液の出口流量が小さくなり、また、点滴筒はしばしば斜め状態になるが、この場合には薬滴が受け棒に衝突しないということが生じる。また、特許文献２では貯留液量が少なくなった場合にはフロートが低下するため、薬液の落下口からフロートまでの落下距離が大きくなるので、薬液中への空気の取り込みを防止する効果が低下する。
【０００４】
【発明が解決しようとする課題】
本発明の目的は、前記従来技術の問題を解決し、かつ構造が簡単な点滴筒の点滴口から薬滴が落下する際に、薬液中への空気の取り込みを防止した点滴筒を提供することにある。
【０００５】
【課題を解決するための手段】
本発明は、点滴筒本体、該点滴筒本体上部に点滴口および該点滴筒本体下部に貯留液体の流出口を少なくとも有して構成される点滴筒において、前記点滴筒の点滴口から落下される薬滴の全量が、貯留液体の液面に到達する前に衝突される傾斜部材が前記点滴筒本体内に設けられていることを特徴とする点滴筒を提供することにより、前記課題を解決することができた。
【０００６】
前記傾斜部材としては、例えば、図１および２に示すような点滴筒本体３の壁部を傾斜させて傾斜部６を形成したものが挙げられる。また、別の態様の傾斜部材としては、図３に示すように傾斜部材６２が、点滴筒本体３に結合して設けられたもの、あるいは図４に示すように板状の傾斜部材６１が点滴筒のキャップ部に結合して設けられたものが挙げられる。
前記図２および３に示す板状傾斜部材の場合、該板状傾斜部材は、点滴筒本体あるいはキャップ部と一体に形成されたものであってもよい。
【０００７】
前記傾斜部材は、薬滴が落下し衝突する部分（以下、単に衝突部分ともいう）が貯留液体の液面より上方に存在するように、薬滴の落下口の位置と傾斜部材が設けられる。
前記傾斜部材は通常、３０〜６０度の傾斜角度を有して設けられ、また、図３および４に示すように、前記衝突部分より更に貯留液体の液面に向かって延長し、好ましくは該傾斜部材の長さが、その先端部が点滴筒内に最大量の薬液を貯留した場合の液面の直近、あるいは薬液内に少なくとも到達することができる長さであることが好ましい。
【０００８】
前記傾斜部材は、薬滴の衝突に対して反発性が低い材料で傾斜部材を有することにより、反発した薬滴の傾斜部材内への落下率を高めることができるので、本発明の傾斜部材を使用する効果をさらに高めることができる。
【０００９】
また、本発明の滴筒筒は、その本体を透明なものとすることにより、例えば流量を調整するクランプによって導管の流量がどの程度変化したかを、点滴筒における液の滴下によって確認できる。
【００１０】
【発明の実施の態様】
実施の態様１
図１に基づいて説明する。点滴筒本体３は、ポリプロピレン樹脂で構成された透明性を有し、その上部にキャップ２および該キャップ２によって保持された点滴口４を有する構成のものである。傾斜部材６は、点滴筒本体３の一方の壁部における傾斜開始位置Ａから対向する壁部に向かって傾斜終了位置Ｂまで点滴筒本体３の壁部が傾斜して形成される。前記傾斜部材６は、点滴口４から落下する薬滴の実質的に全量が貯留薬液に落下する前に傾斜板上に衝突可能な角度で、かつ、落下した薬滴が該傾斜部材６の表面を流下して貯留薬液５に落下するように設定されている。また、図２に示す点滴筒は、図１の点滴筒において、点滴口４のみがキャップ２に対して偏心して設けられた態様のものである。
【００１１】
実施の態様２
図３に基づいて説明する。傾斜部材６２が点滴筒本体３の一方の壁部に接合して形成され、傾斜部材６２の先端部に垂下部７２を有して構成されたキャップ２付の点滴筒である。前記傾斜部材６２は、点滴筒本体３の一方の壁部と一体成形により形成されたものである。ただし、傾斜部材６２と点滴筒本体３はそれぞれ別体で作製され、なんらかの結合手段で結合されたものであってもよい。また、本実施の態様の傾斜部材６２も、前記実施の態様１の傾斜部材６と同様に、点滴口４から落下する薬滴の実質的に全量が貯留薬液に落下する前に傾斜板上に衝突可能な角度で、かつ、落下した薬滴が該傾斜部材６２の表面を流下して貯留薬液５に落下するように設定されている。
【００１２】
実施の態様３
図４に基づいて説明する。本実施態様の点滴筒は、前記実施の態様２の点滴筒において、傾斜部材６１が点滴筒本体３のキャップ２と一体的に成形して形成された以外は、前記実施の態様２の点滴筒と同様の構成のものである。
【発明の効果】
本発明の目的は、構造が簡単で、かつ点滴筒の点滴口から薬滴が落下する際に、薬液中への空気の取り込みを防止した点滴筒を提供することができた。
【図面の簡単な説明】
【図１】本発明の点滴筒の一例を示した断面模式図である。
【図２】本発明の点滴筒の別例を示した断面模式図である。
【図３】本発明の点滴筒の別例を示した断面模式図である。
【図４】本発明の点滴筒の別例を示した断面模式図である。
【符号の説明】
１    チューブ
２    キャップ
３    点滴筒本体
４    点滴口
５    貯留薬液
６    傾斜部材
６１  傾斜部材
６２  傾斜部材
７１  垂下部
７２  垂下部
８    液滴
９    薬液流路
Ａ    傾斜部の開始部
Ｂ    傾斜部の終了部
【図１】
2004350912.tif 000003
【図２】
2004350912.tif 000004
【図３】
2004350912.tif 000005
【図４】
2004350912.tif 000006